【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
複数の自局識別情報を通信に利用可能な通信端末であって、
通信した相手の相手識別情報と当該通信で利用した自局識別情報とを含む履歴情報を記憶する履歴情報記憶制御手段と、
前記相手識別情報を含むアドレス帳情報を、前記複数の自局識別情報毎に異なる複数の記憶領域に記憶するアドレス帳情報記憶制御手段と、
前記履歴情報記憶制御手段によって記憶された履歴情報に含まれている前記相手識別情報を、前記複数の記憶領域の内、当該履歴情報に含まれている自局識別情報の記憶領域に、前記アドレス帳情報として登録する登録手段と、
を備えることを特徴とする通信端末。
【請求項２】
前記相手識別情報に発信を指示する発信指示手段と、
前記発信指示手段によって発信が指示された相手識別情報が前記アドレス帳情報として記憶されている記憶領域に対応する自局識別情報を、発信で利用する自局識別情報として選択する選択手段と、
前記選択手段によって選択された自局識別情報を利用して発信する発信手段と、
を備えることを特徴とする請求項１に記載の通信端末。
【請求項３】
複数の自局識別情報を通信に利用可能な通信端末であって、
通信した相手の相手識別情報と当該通信で利用した自局識別情報とを含む履歴情報を記憶する履歴情報記憶制御手段と、
前記相手識別情報と前記自局識別情報とを対応付けたアドレス帳情報を記憶するアドレス帳情報記憶制御手段と、
前記履歴情報記憶制御手段によって記憶された履歴情報に含まれている前記相手識別情報を、当該履歴情報に含まれている自局識別情報と対応付け、前記アドレス帳情報として登録する登録手段と、
を備えることを特徴とする通信端末。
【請求項４】
前記相手識別情報に発信を指示する発信指示手段と、
前記発信指示手段によって発信が指示された相手識別情報と対応付けられて前記アドレス帳情報として記憶されている自局識別情報を、発信で利用する自局識別情報として選択する選択手段と、
前記選択手段によって選択された自局識別情報を利用して発信する発信手段と、
を備えることを特徴とする請求項３に記載の通信端末。
【請求項５】
前記選択手段は、前記自局識別情報と当該自局識別情報を利用する通信回線を示す通信回線情報とが対応付けられて記憶されている通信回線情報記憶手段を参照して、前記自局識別情報を前記通信回線情報で識別する、
ことを特徴とする請求項１または３に記載の通信端末。
【請求項６】
前記履歴情報記憶制御手段は、着信した相手の相手識別情報と当該着信で利用した自局識別情報とを含む着信履歴情報を記憶する、
ことを特徴とする請求項１または３に記載の通信端末。
【請求項７】
前記履歴情報記憶制御手段は、発信した相手の相手識別情報と当該発信で利用した自局識別情報とを含む発信履歴情報を記憶する、
ことを特徴とする請求項１または３に記載の通信端末。
【請求項８】
前記自局識別情報は、通信回線を利用した電話通信の自局電話番号であり、
前記相手識別情報は、通信回線を利用した電話通信の相手電話番号である、
ことを特徴とする請求項１または３に記載の通信端末。
【請求項９】
前記自局識別情報は、通信回線を利用したメール通信の自局メールアドレスであり、
前記相手識別情報は、通信回線を利用したメール通信の相手メールアドレスである、
ことを特徴とする請求項１または３に記載の通信端末。
【請求項１０】
通信端末を制御するコンピュータに、
通信した相手の相手識別情報と当該通信で利用した自局識別情報とを含む履歴情報を記憶する機能と、
前記相手識別情報を含むアドレス帳情報を、前記複数の自局識別情報毎に異なる複数の記憶領域に記憶する機能と、
前記履歴情報に含まれている相手識別情報を、前記複数の記憶領域の内、当該履歴情報に含まれている自局識別情報の記憶領域に、前記アドレス帳情報として登録する機能と、
相手識別情報に発信を指示する機能と、
を実現させることを特徴とするプログラム。
【請求項１１】
通信端末を制御するコンピュータに、
通信した相手の相手識別情報と当該通信で利用した自局識別情報とを含む履歴情報を記憶する機能と、
前記相手識別情報と前記自局識別情報とを対応付けたアドレス帳情報を記憶する機能と、
前記履歴情報に含まれている相手識別情報を、当該履歴情報に含まれている自局識別情報と対応付け、前記アドレス帳情報として登録する機能と、
を実現させることを特徴とするプログラム。
【手続補正２】
【補正対象書類名】明細書
【補正対象項目名】発明の名称
【補正方法】変更
【補正の内容】
【発明の名称】通信端末、および、プログラム
【手続補正３】
【補正対象書類名】明細書
【補正対象項目名】０００１
【補正方法】変更
【補正の内容】
【０００１】
本発明は、通信端末、および、プログラムに関し、特に、複数の自局番号や通信回線を利用可能な通信端末に好適な通信端末、および、プログラムに関する。
【手続補正４】
【補正対象書類名】明細書
【補正対象項目名】０００６
【補正方法】変更
【補正の内容】
【０００６】
本発明は、上記実状に鑑みてなされたものであり、複数の自局番号や通信回線を利用可能な通信端末における利便性を向上させることを目的とする。
【手続補正５】
【補正対象書類名】明細書
【補正対象項目名】０００７
【補正方法】変更
【補正の内容】
【０００７】
上記目的を達成するため、本発明の第１の観点にかかる通信端末は、
複数の自局識別情報を通信に利用可能な通信端末であって、
通信した相手の相手識別情報と当該通信で利用した自局識別情報とを含む履歴情報を記憶する履歴情報記憶制御手段と、
前記相手識別情報を含むアドレス帳情報を、前記複数の自局識別情報毎に異なる複数の記憶領域に記憶するアドレス帳情報記憶制御手段と、
前記履歴情報記憶制御手段によって記憶された履歴情報に含まれている前記相手識別情報を、前記複数の記憶領域の内、当該履歴情報に含まれている自局識別情報の記憶領域に、前記アドレス帳情報として登録する登録手段と、
を備えることを特徴とする。
また、上記通信端末において、
前記相手識別情報に発信を指示する発信指示手段と、
前記発信指示手段によって発信が指示された相手識別情報が前記アドレス帳情報として記憶されている記憶領域に対応する自局識別情報を、発信で利用する自局識別情報として選択する選択手段と、
前記選択手段によって選択された自局識別情報を利用して発信する発信手段と
を備えるようにしてもよい。
【手続補正６】
【補正対象書類名】明細書
【補正対象項目名】０００８
【補正方法】変更
【補正の内容】
【０００８】
このような構成によれば、通信した相手の相手識別情報と当該通信で利用した自局識別情報とを履歴情報に含め、履歴情報に含まれている相手識別情報をアドレス帳情報としてアドレス帳に登録する際に、利用可能な複数の自局識別情報毎にアドレス帳が有する記憶領域の内、当該履歴情報に含まれている自局識別情報の記憶領域に登録することができる。さらに、相手識別情報に発信を行う場合に、当該相手識別情報が記憶されている記憶領域の自局識別情報を発信で利用する自局識別情報として選択して発信することができる。これにより、発信先として選択した相手との過去の通信で利用した自局識別情報が用いられるので、適切な自局識別情報を自動的に選択して発信することができる。
【手続補正７】
【補正対象書類名】明細書
【補正対象項目名】０００９
【補正方法】変更
【補正の内容】
【０００９】
上記目的を達成するため、本発明の第２の観点にかかる通信端末は、
複数の自局識別情報を通信に利用可能な通信端末であって、
通信した相手の相手識別情報と当該通信で利用した自局識別情報とを含む履歴情報を記憶する履歴情報記憶制御手段と、
前記相手識別情報と前記自局識別情報とを対応付けたアドレス帳情報を記憶するアドレス帳情報記憶制御手段と、
前記履歴情報記憶制御手段によって記憶された履歴情報に含まれている前記相手識別情報を、当該履歴情報に含まれている自局識別情報と対応付け、前記アドレス帳情報として登録する登録手段と、
を備えることを特徴とする。
また、上記通信端末において、
前記相手識別情報に発信を指示する発信指示手段と、
前記発信指示手段によって発信が指示された相手識別情報と対応付けられて前記アドレス帳情報として記憶されている自局識別情報を、発信で利用する自局識別情報として選択する選択手段と、
前記選択手段によって選択された自局識別情報を利用して発信する発信手段と、
を備えるようにしてもよい。
【手続補正８】
【補正対象書類名】明細書
【補正対象項目名】００１０
【補正方法】変更
【補正の内容】
【００１０】
このような構成によれば、通信した相手の相手識別情報と当該通信で利用した自局識別情報とを履歴情報に含め、履歴情報に含まれている相手識別情報をアドレス帳情報としてアドレス帳に登録する際に、当該相手識別情報と当該履歴情報に含まれている自局識別情報とを対応付けて登録することができる。さらに、相手識別情報に発信を行う場合に、当該相手識別情報と対応付けられて記憶されている自局識別情報を発信で利用する自局識別情報として選択して発信することができる。これにより、発信先として選択した相手との過去の通信で利用した自局識別情報が用いられるので、適切な自局識別情報を自動的に選択して発信することができる。
【手続補正９】
【補正対象書類名】明細書
【補正対象項目名】００１１
【補正方法】変更
【補正の内容】
【００１１】
上記通信端末において、
前記選択手段は、自局識別情報と当該自局識別情報を利用する通信回線を示す通信回線情報とが対応付けられて記憶されている通信回線情報記憶手段を参照して、前記自局識別情報を前記通信回線情報で識別することが望ましい。
【手続補正１０】
【補正対象書類名】明細書
【補正対象項目名】００１３
【補正方法】変更
【補正の内容】
【００１３】
また、上記通信端末において、
前記履歴情報記憶制御手段は、着信した相手の相手識別情報と当該着信で利用した自局識別情報とを含む着信履歴情報を記憶することが望ましい。
【手続補正１１】
【補正対象書類名】明細書
【補正対象項目名】００１５
【補正方法】変更
【補正の内容】
【００１５】
また、上記通信端末において、
前記履歴情報記憶制御手段は、発信した相手の相手識別情報と当該発信で利用した自局識別情報とを含む発信履歴情報を記憶することが望ましい。
【手続補正１２】
【補正対象書類名】明細書
【補正対象項目名】００１７
【補正方法】変更
【補正の内容】
【００１７】
また、上記通信端末において、
前記自局識別情報は、通信回線を利用した電話通信の自局電話番号とすることができ、この場合、
前記相手識別情報は、通信回線を利用した電話通信の相手電話番号とすることができる。
【手続補正１３】
【補正対象書類名】明細書
【補正対象項目名】００１９
【補正方法】変更
【補正の内容】
【００１９】
また、上記通信端末において、
前記自局識別情報は、通信回線を利用したメール通信の自局メールアドレスであってもよく、この場合、
前記相手識別情報は、通信回線を利用したメール通信の相手メールアドレスとすることができる。
【手続補正１４】
【補正対象書類名】明細書
【補正対象項目名】００２０
【補正方法】変更
【補正の内容】
【００２０】
このような構成によれば、相手メールアドレスとメール通信を行う場合に、当該相手メールアドレスと対応付けられて記憶されている自局メールアドレスをメール送信で利用する自局メールアドレスとして選択してメール送信することができる。これにより、送信先として選択した相手との過去のメール通信で利用した自局メールアドレスが用いられるので、適切な自局メールアドレスを自動的に選択してメール送信することができる。
【手続補正１５】
【補正対象書類名】明細書
【補正対象項目名】００２１
【補正方法】変更
【補正の内容】
【００２１】
上記目的を達成するため、本発明の第３の観点にかかるプログラムは、
通信端末を制御するコンピュータに、
通信した相手の相手識別情報と当該通信で利用した自局識別情報とを含む履歴情報を記憶する機能と、
前記相手識別情報を含むアドレス帳情報を、前記複数の自局識別情報毎に異なる複数の記憶領域に記憶する機能と、
前記履歴情報に含まれている相手識別情報を、前記複数の記憶領域の内、当該履歴情報に含まれている自局識別情報の記憶領域に、前記アドレス帳情報として登録する機能と、
を実現させることを特徴とする。
【手続補正１６】
【補正対象書類名】明細書
【補正対象項目名】００２２
【補正方法】変更
【補正の内容】
【００２２】
上記目的を達成するため、本発明の第４の観点にかかるプログラムは、
通信端末を制御するコンピュータに、
通信した相手の相手識別情報と当該通信で利用した自局識別情報とを含む履歴情報を記憶する機能と、
前記相手識別情報と前記自局識別情報とを対応付けたアドレス帳情報を記憶する機能と、
前記履歴情報に含まれている相手識別情報を、当該履歴情報に含まれている自局識別情報と対応付け、前記アドレス帳情報として登録する機能と、
を実現させることを特徴とする。
【手続補正１７】
【補正対象書類名】明細書
【補正対象項目名】００２３
【補正方法】変更
【補正の内容】
【００２３】
このようなプログラムを適用することで、例えば、既存の通信端末などを本発明にかかる通信端末として機能させることができる。
【手続補正１８】
【補正対象書類名】明細書
【補正対象項目名】００２４
【補正方法】変更
【補正の内容】
【００２４】
本発明によれば、通信した相手識別情報とその通信に利用した自局識別情報とに基づいた履歴情報を記憶し、このような履歴情報に基づいてアドレス帳情報が登録される。これにより、複数の自局識別情報を利用可能な通信端末の利便性が向上する。